(57)【要約】      （修正有）【課題】電気通信サーバと連携する電話番号情報サーバ及びその情報提供方法を提供する。【解決手段】電話番号情報サーバ１１は、電気通信サーバ１３に接続されるネットワークインタフェースと、電話番号データベースを記憶するストレージと、プロセッサとを含む。プロセッサは、呼出し端末１５の第１の電話番号及び被呼出し端末１７の第２の電話番号を有する着信呼メッセージを受信する。プロセッサは、第１の電話番号を電話番号のうちの１つの電話番号として識別し、第１の電話番号に対応する関連情報を読取って、第１の電話番号に対応する関連情報を被呼出し端末に提供する。【選択図】図１
2017050854.tif 000002
【特許請求の範囲】
【請求項１】
電気通信サーバと連携する電話番号情報サーバであって、
ネットワークを介して前記電気通信サーバに接続されるネットワークインタフェースと、
複数の電話番号及び前記電話番号のそれぞれの関連情報を記録する電話番号データベースを記憶するように構成されるストレージと、
プロセッサとを備え、
前記プロセッサは、前記ネットワークインタフェース及び前記ストレージに電気接続され、以下のオペレーション、すなわち、
着信呼メッセージであって、呼出し端末の第１の電話番号及び被呼出し端末の第２の電話番号を有する、前記着信呼メッセージを、前記ネットワークインタフェースを介して前記電気通信サーバから受信するオペレーションと、
前記電話番号データベースに基づいて、前記第１の電話番号を前記電話番号のうちの１つの電話番号として識別し、前記第１の電話番号に対応する前記関連情報を読取るオペレーションと、
前記第１の電話番号及び前記第１の電話番号に対応する前記関連情報を含む通知メッセージを生成するオペレーションと、
前記第２の電話番号に従って前記ネットワークインタフェースを介して前記被呼出し端末に前記通知メッセージを送信するオペレーションとを実行するように構成される、
電話番号情報サーバ。
【請求項２】
前記電話番号データベースは、複数のユーザ電話番号及び前記ユーザ電話番号のそれぞれの通信情報を記録するように更に構成され、前記ユーザ電話番号のそれぞれの前記通信情報は、アプリケーションプグラムの識別子であり、前記プロセッサは、以下のオペレーション、すなわち、前記電話番号データベースに基づいて、前記第２の電話番号を前記ユーザ電話番号のうちの１つのユーザ電話番号として識別し、前記第２の電話番号に対応する前記通信情報を読取るオペレーションと、前記第２の電話番号に対応する前記通信情報に従って前記ネットワークインタフェースを介して前記被呼出し端末に前記通知メッセージを送信するオペレーションとを実行するように更に構成されることを特徴とする、請求項１に記載の電話番号情報サーバ。
【請求項３】
前記ネットワークはインターネットを備え、前記プロセッサは、前記ネットワークインタフェースを介して前記インターネットを通して前記被呼出し端末に前記通知メッセージを送信することを特徴とする、請求項２に記載の電話番号情報サーバ。
【請求項４】
前記ネットワークは、電気通信事業者のセルラーネットワーク及びインターネットを備え、前記ネットワークインタフェースは前記インターネットを通して前記電気通信サーバに接続され、前記プロセッサは、前記ネットワークインタフェースを介して前記インターネットを通して前記電気通信サーバに前記通知メッセージを送信して、前記電気通信サーバが前記セルラーネットワークを通して前記被呼出し端末に前記通知メッセージを送信するようにさせることを特徴とする、請求項２に記載の電話番号情報サーバ。
【請求項５】
電話番号情報サーバのための情報提供方法であって、
前記電話番号情報サーバは電気通信サーバと連携し、
前記電話番号情報サーバは、ネットワークインタフェース、ストレージ、及びプロセッサを備え、
前記ネットワークインタフェースは、ネットワークを介して前記電気通信サーバに接続され、
前記ストレージは電話番号データベースを記憶し、
前記電話番号データベースは複数の電話番号及び前記電話番号のそれぞれの関連情報を記録し、
前記情報提供方法は、前記プロセッサによって実行され、以下のステップ、すなわち、
（ａ）着信呼メッセージであって、呼出し端末の第１の電話番号及び被呼出し端末の第２の電話番号を有する、前記着信呼メッセージを、前記ネットワークインタフェースを介して前記電気通信サーバから受信するステップと、
（ｂ）前記電話番号データベースに基づいて、前記第１の電話番号を前記電話番号のうちの１つの電話番号として識別し、前記第１の電話番号に対応する前記関連情報を読取るステップと、
（ｃ）前記第１の電話番号及び前記第１の電話番号に対応する前記関連情報を含む通知メッセージを生成するステップと、
（ｄ）前記第２の電話番号に従って前記ネットワークインタフェースを介して前記被呼出し端末に前記通知メッセージを送信するステップとを含む、
情報提供方法。
【請求項６】
前記電話番号データベースは、複数のユーザ電話番号及び前記ユーザ電話番号のそれぞれの通信情報を記録するように更に構成され、前記ユーザ電話番号のそれぞれの前記通信情報は、アプリケーションプグラムの識別子であり、ステップ（ｂ）は、以下のステップ、すなわち、前記電話番号データベースに基づいて、前記第２の電話番号を前記ユーザ電話番号のうちの１つのユーザ電話番号として識別し、前記第２の電話番号に対応する前記通信情報を読取るステップを更に含み、ステップ（ｄ）は、以下のステップ、すなわち、前記第２の電話番号に対応する前記通信情報に従って前記ネットワークインタフェースを介して前記被呼出し端末に前記通知メッセージを送信するステップを更に含むことを特徴とする、請求項５に記載の情報提供方法。
【請求項７】
前記ネットワークはインターネットを備え、ステップ（ｄ）は、以下のステップ、すなわち、前記ネットワークインタフェースを介して前記インターネットを通して前記被呼出し端末に前記通知メッセージを送信するステップを更に含むことを特徴とする、請求項６に記載の情報提供方法。
【請求項８】
前記ネットワークは、電気通信事業者のセルラーネットワーク及びインターネットを備え、前記ネットワークインタフェースは前記インターネットを通して前記電気通信サーバに接続され、ステップ（ｄ）は、以下のステップ、すなわち、前記ネットワークインタフェースを介して前記インターネットを通して前記電気通信サーバに前記通知メッセージを送信するステップであって、それにより、前記電気通信サーバが前記セルラーネットワークを通して前記被呼出し端末に前記通知メッセージを送信するようにさせる、ステップを更に含むことを特徴とする、請求項６に記載の情報提供方法。
【請求項９】
電気通信サーバと連携する電話番号情報サーバであって、
ネットワークを介して前記電気通信サーバに接続されるネットワークインタフェースと、
複数の電話番号及び前記電話番号のそれぞれの関連情報を記録する電話番号データベースを記憶するように構成されるストレージと、
プロセッサとを備え、
前記プロセッサは、前記ネットワークインタフェース及び前記ストレージに電気接続され、以下のオペレーション、すなわち、
着信呼メッセージであって、呼出し端末の第１の電話番号を含む、前記着信呼メッセージを、前記ネットワークインタフェースを介して前記電気通信サーバから受信するオペレーションと、
前記電話番号データベースに基づいて、前記第１の電話番号を前記電話番号のうちの１つの電話番号として識別し、前記第１の電話番号に対応する前記関連情報を読取るオペレーションと、
前記第１の電話番号及び前記第１の電話番号に対応する前記関連情報を含む応答メッセージを生成するオペレーションと、
前記ネットワークインタフェースを介して前記電気通信サーバに前記応答メッセージを送信するオペレーションであって、それにより、前記電気通信サーバが、通知メッセージであって、前記第１の電話番号及び前記第１の電話番号に対応する前記関連情報を含むことを特徴とする、前記通知メッセージを前記応答メッセージに従って生成し、被呼出し端末の第２の電話番号に従って前記被呼出し端末に前記通知メッセージを送信するようにさせる、オペレーションとを実行するように構成される、
電話番号情報サーバ。
【請求項１０】
前記ネットワークは、電気通信事業者のバックホールネットワーク及びセルラーネットワーク並びにインターネットを備え、前記ネットワークインタフェースは前記バックホールネットワークを通して前記電気通信サーバに接続され、前記プロセッサは、前記ネットワークインタフェースを介して前記バックホールネットワークを通して前記電気通信サーバに前記応答メッセージを送信して、前記電気通信サーバが、前記セルラーネットワーク及び前記インターネットの一方を通して前記被呼出し端末に前記通知メッセージを送信するようにさせることを特徴とする、請求項９に記載の電話番号情報サーバ。
【請求項１１】
前記ネットワークは、電気通信事業者のセルラーネットワークを備え、前記プロセッサは、前記ネットワークインタフェースを介して前記電気通信サーバに前記応答メッセージを送信して、前記電気通信サーバが、前記第２の電話番号に従って前記セルラーネットワークを通して前記被呼出し端末に前記通知メッセージを送信するショートメッセージサービス（ＳＭＳ）を使用するようにさせることを特徴とする、請求項９に記載の電話番号情報サーバ。
【請求項１２】
電話番号情報サーバのための情報提供方法であって、
前記電話番号情報サーバは電気通信サーバと連携し、
前記電話番号情報サーバは、ネットワークインタフェース、ストレージ、及びプロセッサを備え、
前記ネットワークインタフェースは、ネットワークを介して前記電気通信サーバに接続され、
前記ストレージは電話番号データベースを記憶し、
前記電話番号データベースは複数の電話番号及び前記電話番号のそれぞれの関連情報を記録し、
前記情報提供方法は、前記プロセッサによって実行され、以下のステップ、すなわち、
（ａ）着信呼メッセージであって、呼出し端末の第１の電話番号を含む、前記着信呼メッセージを、前記ネットワークインタフェースを介して前記電気通信サーバから受信するステップと、
（ｂ）前記電話番号データベースに基づいて、前記第１の電話番号を前記電話番号のうちの１つの電話番号として識別し、前記第１の電話番号に対応する前記関連情報を読取るステップと、
（ｃ）前記第１の電話番号及び前記第１の電話番号に対応する前記関連情報を含む応答メッセージを生成するステップと、
（ｄ）前記ネットワークインタフェースを介して前記電気通信サーバに前記応答メッセージを送信するステップであって、それにより、前記電気通信サーバが、通知メッセージであって、前記第１の電話番号及び前記第１の電話番号に対応する前記関連情報を含むことを特徴とする、通知メッセージを前記応答メッセージに従って生成し、被呼出し端末の第２の電話番号に従って前記被呼出し端末に前記通知メッセージを送信するようにさせる、ステップとを含む、
情報提供方法。
【請求項１３】
前記ネットワークは、電気通信事業者のバックホールネットワーク及びセルラーネットワーク並びにインターネットを備え、前記ネットワークインタフェースは前記バックホールネットワークを通して前記電気通信サーバに接続され、ステップ（ｄ）は、以下のステップ、すなわち、前記ネットワークインタフェースを介して前記バックホールネットワークを通して前記電気通信サーバに前記応答メッセージを送信するステップであって、それにより、前記電気通信サーバが、前記セルラーネットワーク及び前記インターネットの一方を通して前記被呼出し端末に前記通知メッセージを送信する、ステップを更に含むことを特徴とする、請求項１２に記載の情報提供方法。
【請求項１４】
前記ネットワークは、電気通信事業者のセルラーネットワークを備え、ステップ（ｄ）は、以下のステップ、すなわち、  前記ネットワークインタフェースを介して前記電気通信サーバに前記応答メッセージを送信するステップであって、それにより、前記電気通信サーバが、前記第２の電話番号に従って前記セルラーネットワークを通して前記被呼出し端末に前記通知メッセージを送信するショートメッセージサービス（ＳＭＳ）を使用するようにさせる、ステップを更に含むことを特徴とする、請求項１２に記載の情報提供方法。
【発明の詳細な説明】
【技術分野】
【０００１】
本発明は、電気通信サーバと連携する電話番号情報サーバ及びその情報提供方法に関する。特に、本発明の電話番号情報サーバは、電気通信サーバと連携して、電気通信サーバから呼出し端末の電話番号を取得し、呼出し端末の電話番号に対応する関連情報を被呼出し端末に提供する。
【背景技術】
【０００２】
通信ネットワークの精力的な開発によって、通信及びデータ伝送についての要求が増加している。従来のモバイルフォンと比較すると、スマートフォンは、種々のプログラム及びサービスを提供することが可能であり、したがって、現在のモバイルフォン市場において優勢になってきた。
【０００３】
現在のところ、複数の会社が、着信呼の電話番号の関連情報をスマートフォンのユーザに提供するアプリケーションプログラムを開発してきた。
現在のところ、これらのアプリケーションプログラムは、スマートフォンの内部のログファイルを取出すことによって着信呼の電話番号を取得し、着信呼の電話番号をリモートサーバに送信する。リモートサーバは、着信呼の電話番号の関連情報をデータベースから検索し、関連情報をスマートフォンに返送する。しかし、これらのアプリケーションプログラムは、今では、オープンソースモバイルオペレーションシステム（例えば、Ａｎｄｒｏｉｄ（登録商標）オペレーションシステム）上で動作することができるだけである。その理由は、アプリケーションプログラムがシステムの内部のログファイルにアクセスすることを、オープンソースモバイルオペレーションシステムが可能にするからである。
対照的に、非オープンソースモバイルオペレーションシステム（例えば、ｉＯＳオペレーションシステム）は、アプリケーションプログラムがシステムの内部のログファイルにアクセスすることを制限するため、現在のところ、非オープンソースモバイルオペレーションシステムの内部から着信呼の電話番号を取得する関連アプリケーションプログラムを、会社が提供することが依然としてできない。
【０００４】
一方、先の説明からわかるように、電話番号情報を提供する従来のメカニズムは、スマートフォン自体によってトリガーされる。スマートフォンは、特定のアプリケーションプログラムによって着信呼の電話番号を取出し、リモートサーバに接続されて、着信呼の電話番号の関連情報を取得する。したがって、ユーザは、電話番号情報提供サービスを取得するため、スマートフォンを使用し、特定のアプリケーションプログラムをスマートフォンにインストールしなければならない。
【０００５】
したがって、電話番号情報提供メカニズムであって、モバイルフォンのモバイルオペレーションシステムによって制限されず、着信呼の電話番号の関連情報をリアルタイムに提供することが可能な、電話番号情報提供メカニズムを提供する緊急の必要性が当技術分野に存在する。
【発明の概要】
【発明が解決しようとする課題】
【０００６】
本発明の目的は、電話番号情報提供メカニズムを提供することである。本発明の電話番号情報提供メカニズムは、電気通信事業者の電気通信サーバを介してサービスをトリガーし、呼出し端末の電話番号の関連情報を電話番号情報サーバが被呼出し端末に提供できるように呼出し端末の電話番号を本発明の電話番号情報サーバに送信する。こうして、本発明の電話番号情報提供メカニズムは、モバイルフォンのモバイルオペレーションシステムによって制限されず、着信呼の電話番号の関連情報をリアルタイムに提供することが可能である。
【課題を解決するための手段】
【０００７】
上記目的を達成するため、本発明は、ネットワークインタフェース、ストレージ、及びプロセッサとを備える電気通信サーバと連携する電話番号情報サーバを開示する。
ネットワークインタフェースは、ネットワークを介して電気通信サーバに接続される。ストレージは、電話番号データベースを記憶するように構成される。電話番号データベースは、複数の電話番号及び電話番号のそれぞれの関連情報を記録する。
プロセッサは、ネットワークインタフェース及びストレージに電気接続され、また、以下のオペレーション、すなわち、（１）着信呼メッセージであって、呼出し端末の第１の電話番号及び被呼出し端末の第２の電話番号を有する、着信呼メッセージを、ネットワークインタフェースを介して電気通信サーバから受信するオペレーションと、（２）電話番号データベースに基づいて、第１の電話番号を電話番号のうちの１つの電話番号として識別し、第１の電話番号に対応する関連情報を読取るオペレーションと、（３）第１の電話番号及び第１の電話番号に対応する関連情報を含む通知メッセージを生成するオペレーションと、（４）第２の電話番号に従ってネットワークインタフェースを介して被呼出し端末に通知メッセージを送信するオペレーションとを実行するように構成される。
【０００８】
更に、本発明は、電話番号情報サーバのための情報提供方法を更に開示する。
電話番号情報サーバは電気通信サーバと連携し、電話番号情報サーバは、ネットワークインタフェース、ストレージ、及びプロセッサを備える。ネットワークインタフェースは、ネットワークを介して電気通信サーバに接続される。ストレージは電話番号データベースを記憶する。
電話番号データベースは複数の電話番号及び電話番号のそれぞれの関連情報を記録する。電話番号情報提供方法は、プロセッサによって実行され、また、以下のステップ、すなわち、（ａ）呼出し端末の第１の電話番号及び被呼出し端末の第２の電話番号を有する着信呼メッセージを、ネットワークインタフェースを介して電気通信サーバから受信するステップと、（ｂ）電話番号データベースに基づいて、第１の電話番号を電話番号のうちの１つの電話番号として識別し、第１の電話番号に対応する関連情報を読取るステップと、（ｃ）第１の電話番号及び第１の電話番号に対応する関連情報を含む通知メッセージを生成するステップと、（ｄ）第２の電話番号に従ってネットワークインタフェースを介して被呼出し端末に通知メッセージを送信するステップとを含む。
【０００９】
更に、上記目的を達成するため、本発明は、ネットワークインタフェース、ストレージ、及びプロセッサを備える電気通信サーバと連携する電話番号情報サーバを開示する。
ネットワークインタフェースは、ネットワークを介して電気通信サーバに接続される。ストレージは、電話番号データベースを記憶するように構成される。電話番号データベースは、複数の電話番号及び電話番号のそれぞれの関連情報を記録する。
プロセッサは、ネットワークインタフェース及びストレージに電気接続され、また、以下のオペレーション、すなわち、（１）呼出し端末の第１の電話番号を有する着信呼メッセージを、ネットワークインタフェースを介して電気通信サーバから受信するオペレーションと、（２）電話番号データベースに基づいて、第１の電話番号を電話番号のうちの１つの電話番号として識別し、第１の電話番号に対応する関連情報を読取るオペレーションと、（３）第１の電話番号及び第１の電話番号に対応する関連情報を含む応答メッセージを生成するオペレーションと、（４）ネットワークインタフェースを介して電気通信サーバに応答メッセージを送信するオペレーションであって、それにより、電気通信サーバが、通知メッセージであって、第１の電話番号及び第１の電話番号に対応する関連情報を含む、通知メッセージを応答メッセージに従って生成し、被呼出し端末の第２の電話番号に従って被呼出し端末に通知メッセージを送信するようにさせる、送信するオペレーションとを実行するように構成される。
【００１０】
加えて、本発明は、電話番号情報サーバのための情報提供方法を更に開示する。
電話番号情報サーバは電気通信サーバと連携し、電話番号情報サーバは、ネットワークインタフェース、ストレージ、及びプロセッサを備える。ネットワークインタフェースは、ネットワークを介して電気通信サーバに接続される。ストレージは電話番号データベースを記憶する。電話番号データベースは複数の電話番号及び電話番号のそれぞれの関連情報を記録する。
電話番号情報提供方法は、プロセッサによって実行され、また、以下のステップ、すなわち、（ａ）呼出し端末の第１の電話番号を有する着信呼メッセージを、ネットワークインタフェースを介して電気通信サーバから受信するステップと、（ｂ）電話番号データベースに基づいて、第１の電話番号を電話番号のうちの１つの電話番号として識別し、第１の電話番号に対応する関連情報を読取るステップと、（ｃ）第１の電話番号及び第１の電話番号に対応する関連情報を含む応答メッセージを生成するステップと、（ｄ）ネットワークインタフェースを介して電気通信サーバに応答メッセージを送信するステップであって、それにより、電気通信サーバが、通知メッセージであって、第１の電話番号及び第１の電話番号に対応する関連情報を含む、通知メッセージを応答メッセージに従って生成し、被呼出し端末の第２の電話番号に従って被呼出し端末に通知メッセージを送信するようにさせる、送信するステップとを含む。
【００１１】
当業者が特許請求される発明の特徴を十分に認識するため、本発明のために実装される詳細な技術及び好ましい実施形態が、以下の節において図面を参照しながら説明される。
【図面の簡単な説明】
【００１２】
【図１】本発明の第１の実施形態の実装を示す図である。
【図２】本発明の第１の実施形態による電話番号情報サーバ１１の略図である。
【図３】第２の実施形態における電話番号情報サーバ１１、電気通信サーバ１３、呼出し端末１５、及び被呼出し端末１７の間での信号又はメッセージ伝送を示す図である。
【図４】第２の実施形態における電話番号情報サーバ１１、電気通信サーバ１３、呼出し端末１５、及び被呼出し端末１７の間での信号又はメッセージ伝送を示す図である。
【図５】本発明の第３の実施形態の実装を示す図である。
【図６】第４の実施形態における電話番号情報サーバ１１、電気通信サーバ１３、呼出し端末１５、及び被呼出し端末１７の間での信号又はメッセージ伝送を示す図である。
【図７】第４の実施形態における電話番号情報サーバ１１、電気通信サーバ１３、呼出し端末１５、及び被呼出し端末１７の間での信号又はメッセージ伝送を示す図である。
【図８】本発明の第５の実施形態による情報提供方法のフローチャート図である。
【図９】本発明の第６の実施形態による情報提供方法のフローチャート図である。
【発明を実施するための形態】
【００１３】
以下の実施形態は、本発明の範囲を制限するものではなく、本発明の技術的内容を示すことのみを意図するものである。更に、以下の実施形態及び添付図面において、本発明に関連しない要素は、説明から省略され、添付図面における個々の要素の間の寸法関係は、実際のスケールを制限するものではなく、理解を容易にするために示されるのみである。
【００１４】
本発明の第１の実施形態は図１及び図２に示される。図１は、本発明の実装を示す。この実装内において、電話番号情報サーバ１１、電気通信サーバ１３、呼出し端末１５、及び被呼出し端末１７が含まれる。
図２は、本発明の電話番号情報サーバ１１の略図である。電話番号情報サーバ１１は、電気通信サーバ１３と連携して、本発明の電話番号情報提供メカニズムを実装する。
【００１５】
電話番号情報サーバ１１は、ネットワーク１９を介して電気通信サーバ１３に接続する。ネットワーク１９は、ローカルエリアネットワーク、電気通信ネットワーク（電気通信事業者によって考案されたセルラーネットワーク、固定通信ネットワーク、バックホールネットワーク等を含む）、インターネット、及び有線又は無線の任意のネットワークからなる群から選択できる。電気通信事業者のセルラーネットワークは、幾つかの基地局及び幾つかのバックホールサーバ（電気通信サーバ１３を含む）から構成できる。
この実施形態において、電話番号情報サーバ１１は、インターネットを介して電気通信サーバ１３に接続する。呼出し端末１５は、スマートフォン、従来のモバイルフォン、ローカルフォン、又は電話番号を有する任意の通信デバイスであるとすることができ、一方、被呼出し端末１７は、スマートフォン、従来のモバイルフォン、又は電話番号を有する任意の通信デバイスであり、メッセージ伝送が可能である。呼出し端末１５及び被呼出し端末１７がスマートフォン又は従来のモバイルフォンであるとき、両者は共に、セルラーネットワークを介して通信するため基地局に接続できる。
【００１６】
呼出し端末１５が被呼出し端末１７に電話をかけるとき、電気通信サーバ１３は、呼出し端末１５から通信要求信号１０２を受信し、被呼出し端末１７に呼出し信号１０４を送信する。その間、電気通信サーバ１３は、着信呼メッセージ１０６を生成し、着信呼メッセージ１０６を情報サーバ１１に送信する。着信呼メッセージ１０６は、呼出し端末１５の第１の電話番号及び被呼出し端末１７の第２の電話番号を有する。電話番号情報サーバ１１は電話番号データベースを記憶し、電話番号データベースは複数の電話番号及び電話番号のそれぞれの関連情報を記録する。
本発明において、電話番号のそれぞれの関連情報は、名前（例えば、個人の名前、会社の名前、又は店の名前）、住所、着信呼の型（例えば、個人、銀行、詐欺、買い物、ホテル、販売促進、広告、顧客サービス等）、国、ウェブサイト、執務時間、又は上述した情報の任意の組合せを含む場合がある。
【００１７】
着信呼メッセージ１０６を受信した後、電話番号情報サーバ１１は、電話番号データベースに基づいて、第１の電話番号を電話番号のうちの１つの電話番号として識別し、第１の電話番号に対応する関連情報を読取る。次に、電話番号情報サーバ１１は、第１の電話番号及び第１の電話番号に対応する関連情報を含む通知メッセージ１０８を生成する。最後に、電話番号情報サーバ１１は、被呼出し端末１７に通知メッセージ１０８を送信する。こうして、被呼出し端末１７は、通知メッセージ１０８に従って第１の電話番号の関連情報を学習できる。
被呼出し端末１７が着信呼にまだ応答していなかった場合、詐欺電話、広告電話等を除外するため、着信呼に応答するかどうかを相応して決定できる。もちろん、被呼出し端末１７がこの着信呼に応答した場合、着信呼が詐欺電話であるかどうかを更に判定できる。
【００１８】
図２は、本発明の電話番号情報サーバ１１の略図を示す。電話番号情報サーバ１１は、ネットワークインタフェース１１ａ、プロセッサ１１ｂ、及びストレージ１１ｃを備える。ネットワークインタフェース１１ａは、ネットワーク１９を介して電気通信サーバ１３に接続される。ストレージ１１ｃは電話番号データベースを記憶する。プロセッサ１１ｂは、ネットワークインタフェース１１ａ及びストレージ１１ｃに電気接続される。
プロセッサ１１ｂは、ネットワークインタフェース１１ａを介して電気通信サーバ１３から着信呼メッセージ１０６を受信する。その後、プロセッサ１１ｂは、電話番号データベースに基づいて、第１の電話番号を電話番号のうちの１つの電話番号として識別し、第１の電話番号に対応する関連情報を読取る。次に、プロセッサ１１ｂは、通知メッセージ１０８を生成し、通知メッセージ１０８を、ネットワークインタフェース１１ａを介して被呼出し端末１７に送信する。
【００１９】
本発明の第２の実施形態は図３及び図４に示される。図３及び図４は、電話番号情報サーバ１１、電気通信サーバ１３、呼出し端末１５、及び被呼出し端末１７の間の信号又はメッセージ伝送を更に示す。
第２の実施形態は第１の実施形態の拡張である。この実施形態において、電話番号データベースは、複数のユーザ電話番号及びユーザ電話番号のそれぞれの通信情報を記録するように更に構成される。ユーザ電話番号のそれぞれの通信情報は、アプリケーションプグラムの識別子である。プロセッサ１１ｂは更に、電話番号データベースに基づいて、第２の電話番号をユーザ電話番号のうちの１つのユーザ電話番号として識別し、第２の電話番号に対応する通信情報を読取る。次に、プロセッサ１１ｂは、第２の電話番号に対応する通信情報に従ってネットワークインタフェース１１ａを介して被呼出し端末１７に通知メッセージ１０８を送信する。
【００２０】
特に、被呼出し端末１７は、電話番号情報サーバ１１に関連するアプリケーションプログラムをインストールされ、アプリケーションプログラムを介して電話番号情報サービスを提供するよう電話番号情報サーバ１１に要求する。こうして、電話番号情報サーバ１１は、被呼出し端末１７の第２の電話番号をユーザ電話番号として識別し、ユーザ電話番号を電話番号データベースに記録し、それにより、ユーザ電話番号に関連する通信情報を生成する。
【００２１】
例えば、被呼出し端末１７は、電話番号情報サーバ１１の会社によって設計されたアプリケーションプログラムをインストールできる。被呼出し端末１７のユーザを、アプリケーションプログラムによってメンバとして登録できるため、電話番号情報サーバ１１の電話番号データベースは、被呼出し端末１７の第２の電話番号及びメンバ識別子（例えば、アプリケーションプログラム内の識別子）を記憶する。したがって、電話番号情報サーバ１１は、アプリケーションプログラム内の通知機能を使用することによって、被呼出し端末１７に通知メッセージ１０８を送信できる。
被呼出し端末１７のユーザが、例えば、会社のサービスウェブサイト、サービスセンター等を介して会社によってメンバとして同様に最初に登録されて、ユーザのメンバデータ（例えば、第２の電話番号等）を入力し、次に、アプリケーションプログラムを被呼出し端末１７にインストールし、アプリケーションプログラムにログインし、それにより、電話番号情報サーバ１１によって提供されるサービスにアクセスできることが認識されるものとする。
【００２２】
別の例として、被呼出し端末１７は、インスタント通信アプリケーションプログラム（例えば、ＮＡＶＥＲ（登録商標）社によって設定されたＬＩＮＥ（登録商標）アプリケーションプログラム）をインストールされる場合がある。
被呼出し端末１７は、このインスタント通信アプリケーションプログラムを介して電話番号情報サービスを提供するよう電話番号情報サーバ１１の会社に要求する。したがって、電話番号情報サーバ１１の電話番号データベースは、サーバ１１に記憶されたインスタント通信アプリケーションプログラム内に被呼出し端末１７の第２の電話番号及び識別子を有する。したがって、電話番号情報サーバ１１は、インスタント通信アプリケーションプログラム内のメッセージ伝送機能を使用することによって被呼出し端末１７に通知メッセージ１０８を送信できる。
【００２３】
図３は、電話番号情報サーバ１１が、インターネットを介して直接、被呼出し端末１７に通知メッセージ１０８を送信することを示す。特に、被呼出し端末１７がアクティブＷＩＦＩ（登録商標）接続を有し、被呼出し端末１７と電話番号情報サーバ１１との間の接続がセルラーネットワークを通さないとき、プロセッサ１１ｂは、ネットワークインタフェース１１ａを介しまたインターネットを通して被呼出し端末１７に通知メッセージ１０８を送信する。換言すれば、被呼出し端末１７がモバイルデータ接続の機能を持たないか又はモバイルデータサービスのために適用されておらず、そのＷＩＦＩ接続がアクティブモバイルデータ接続を有する他のどのデバイスにもよらないとき、被呼出し端末１７は、同様に、ＷＩＦＩ接続によってまたインターネットを通して直接電話番号情報サーバ１１から通知メッセージ１０８を受信できる。
【００２４】
更に、図４は、インターネット及びセルラーネットワークを介して被呼出し端末１７に通知メッセージ１０８を送信する電話番号情報サーバ１１を示す。特に、被呼出し端末１７がアクティブモバイルデータ接続を有するとき、データ伝送を実施するプロセッサ１１ｂは、ネットワークインタフェース１１ａを介してまたインターネットを通して電気通信サーバ１３に通知メッセージ１０８を送信する。その後、電気通信サーバ１３は、セルラーネットワークを通して被呼出し端末１７に通知メッセージ１０８を送信する。換言すれば、被呼出し端末１７が、モバイルデータ接続機能を有し、また現在のところアクティブモバイルデータ接続を有するとき、被呼出し端末１７は、セルラーネットワーク及びインターネットを通して電話番号情報サーバ１１から通知メッセージ１０４を受信する。
【００２５】
本発明の第３の実施形態は図５〜図７に示される。同様に、図５は、本発明の別の実装を示す。この実装において、電話番号情報サーバ１１、電気通信サーバ１３、呼出し端末１５、及び被呼出し端末１７が含まれる。
図６は、本発明の電話番号情報サーバ１１の別の略図である。同様にこの実施形態において、ネットワークインタフェース１１ａは、ネットワーク１９を介して電気通信サーバ１３に接続される。ストレージ１１ｃは電話番号データベースを記憶する。
プロセッサ１１ｂは、ネットワークインタフェース１１ａ及びストレージ１１ｃに電気接続される。プロセッサ１１ｂは、ネットワークインタフェース１１ａを介して電気通信サーバ１３から着信呼メッセージ１０６を受信する。その後、プロセッサ１１ｂは、電話番号データベースに基づいて、第１の電話番号を電話番号のうちの１つの電話番号として識別し、第１の電話番号に対応する関連情報を読取る。
【００２６】
図７は、電話番号情報サーバ１１、電気通信サーバ１３、呼出し端末１５、及び被呼出し端末１７の間の信号又はメッセージ伝送を更に示す。電話番号データベースに基づいて、プロセッサ１１ｂは、第１の電話番号を電話番号のうちの１つの電話番号として識別し、第１の電話番号に対応する関連情報を読取って、応答メッセージ１０７を生成する。
応答メッセージ１０７は、第１の電話番号及び第１の電話番号に対応する関連情報を含む。次に、プロセッサ１１ｂは、ネットワークインタフェース１１ａを介して電気通信サーバ１３に応答メッセージ１０７を送信する。こうして、電気通信サーバ１３は、応答メッセージ１０７に従って通知メッセージ１０８を生成し、被呼出し端末１７の第２の電話番号に従って被呼出し端末１７に通知メッセージ１０８を送信できる。
【００２７】
同じく、この実施形態において、通知メッセージ１０８は、同様に、第１の電話番号及び第１の電話番号に対応する関連情報を含む。したがって、被呼出し端末１７は、通知メッセージ１０８に従って第１の電話番号の関連情報を学習できる。被呼出し端末１７が着信呼にまだ応答していなかった場合、詐欺電話、広告電話等を除外するため、着信呼に応答するかどうかを相応して決定できる。もちろん、被呼出し端末１７がこの着信呼に応答した場合、着信呼が詐欺電話であるかどうかを更に判定できる。
この実施形態において、電話番号情報サーバ１１及び電気通信サーバ１３は共に、電気通信事業者のバックホールサーバのうちの１つのバックホールサーバであることが認識されるものとする。そのため、ネットワークインタフェース１１ａは、電気通信事業者のバックホールネットワークを通して電気通信サーバ１３に接続される。
【００２８】
本発明の第４の実施形態は、第３の実施形態の拡張であり、図５〜図７に示される。この実施形態において、電気通信サーバ１３は、複数のユーザ電話番号を記録するユーザデータベースを記憶できる。更に、ユーザデータベースは、ユーザの電話番号のそれぞれの通信情報を更に記録できる。同様に、ユーザの電話番号のそれぞれの通信情報はアプリケーションプログラムの識別子である。この場合、電気通信サーバ１３に関連するアプリケーションプログラムが被呼出し端末１７にインストールされ、被呼出し端末１７が、アプリケーションプログラムを介して電話番号情報サービスを提供するよう電気通信サーバ１３に要求するとき、電気通信サーバ１３は、アプリケーションプログラム内の通知機能を使用することによって、被呼出し端末１７に通知メッセージ１０８を送信できる。
【００２９】
電話番号情報サーバ１１及び電気通信サーバ１３が共に、電気通信事業者のバックホールサーバのうちの１つのバックホールサーバであるとき、ネットワークインタフェース１１ａは、電気通信事業者のバックホールネットワークを通して電気通信サーバ１３に接続され、電気通信サーバ１３は、セルラーネットワーク又はインターネットを通して被呼出し端末１７に通知メッセージ１０８を送信する。先に述べたように、被呼出し端末１７が、通知メッセージ１０８を、セルラーネットワークを通して受信するか、インターネットを通して受信するかは、被呼出し端末１７が、現在、アクティブＷＩＦＩ接続を有するか、アクティブモバイルデータ接続を有するかによって決まる。
【００３０】
更に、電気通信サーバ１３の電気通信事業者は、同様に、アプリケーションプログラムによることなく電話番号情報サービスを提供でき、その場合、被呼出し端末１７のユーザは、他の方法で（例えば、電気通信事業者のウェブサイト上でオンラインで申込むため、パーソナル・アットカウンタ・アプリケーションを通して又はパーソナルコンピュータを使用して）電気通信事業者からの電話番号情報サービスに申込む。この場合、電気通信サーバ１３は、ショートメッセージサービス（ＳＭＳ：Ｓｈｏｒｔ  Ｍｅｓｓａｇｅ  Ｓｅｒｖｉｃｅ）を使用して、第２の電話番号に従って、セルラーネットワークを通して被呼出し端末１７に通知メッセージ１０８を送信できる。こうして、被呼出し端末１７が、従来のモバイルフォンであり、アプリケーションプログラムをインストールできなくても、被呼出し端末１７は、ショートメッセージを受信することによって、第１の電話番号に対応する関連情報を依然として学習できる。
【００３１】
本発明の第５の実施形態は、情報提供方法に関し、そのフローチャート図が図８に示される。情報提供方法は、電話番号情報サーバ、例えば、第１の実施形態及び第２の実施形態の電話番号情報サーバ１で使用するために適合される。電話番号情報サーバは、電気通信サーバと連携し、また、ネットワークインタフェース、ストレージ、及びプロセッサを備える。ストレージは電話番号データベースを記憶する。電話番号データベースは複数の電話番号及び電話番号のそれぞれの関連情報を記録する。電話番号情報提供方法はプロセッサによって実行される。
【００３２】
最初に、ステップＳ８０１にて、着信呼メッセージは、ネットワークインタフェースを介して電気通信サーバから受信される。着信呼メッセージは、呼出し端末の第１の電話番号及び被呼出し端末の第２の電話番号を有する。
次に、ステップＳ８０３にて、電話番号データベースに基づいて、第１の電話番号が電話番号のうちの１つの電話番号として識別され、第１の電話番号に対応する関連情報が読取られる。その後、ステップＳ８０５にて、第１の電話番号及び第１の電話番号に対応する関連情報を含む通知メッセージが生成される。最後に、ステップＳ８０７にて、通知メッセージは、第２の電話番号に従ってネットワークインタフェースを介して被呼出し端末に送信される。
【００３３】
更に、別の実施形態において、電話番号データベースは複数のユーザ電話番号及びユーザ電話番号のそれぞれの通信情報を更に記録できる。ユーザ電話番号のそれぞれの通信情報は、アプリケーションプグラムの識別子である。
この場合、ステップＳ８０３は、以下のステップ、すなわち、電話番号データベースに基づいて、第２の電話番号をユーザ電話番号のうちの１つのユーザ電話番号として識別し、第２の電話番号に対応する通信情報を読取るステップを更に含む。ステップＳ８０７は、以下のステップ、すなわち、第２の電話番号に対応する通信情報に従ってネットワークインタフェースを介して被呼出し端末に通知メッセージを送信するステップを更に含む。
【００３４】
更に、ネットワークはインターネットを備えるため、プロセッサは、ステップＳ８０７にて、ネットワークインタフェースを介してインターネットを通して被呼出し端末に通知メッセージを送信できる。
一方、ネットワークは、同様に、電気通信事業者のセルラーネットワーク及びインターネットを含んでもよい。この場合、電話番号情報サーバのネットワークインタフェースは、インターネットを通して電気通信サーバに接続され、ステップＳ８０７にて、プロセッサは、ネットワークインタフェースを介してインターネットを通して電気通信サーバに通知メッセージを送信して、電気通信サーバがセルラーネットワークを通して被呼出し端末に通知メッセージを送信するようにさせてもよい。
【００３５】
上記ステップに加えて、本実施形態の情報提供方法は、同様に、全てのオペレーションを実行し、また、第１の実施形態及び第２の実施形態で述べた全ての対応する機能を有することができる。
本実施形態がこれらのオペレーションを実行し、これらの機能を有する方法は、第１の実施形態及び第２の実施形態の開示に基づいて当業者が容易に認識できるので、本明細書で更に述べない。
【００３６】
本発明の第６の実施形態は、情報提供方法に関し、そのフローチャート図が図９に示される。情報提供方法は、電話番号情報サーバ、例えば、第３の実施形態及び第４の実施形態の電話番号情報サーバ１で使用するために適合される。電話番号情報サーバは、電気通信サーバと連携し、また、ネットワークインタフェース、ストレージ、及びプロセッサを備える。ストレージは電話番号データベースを記憶する。電話番号データベースは複数の電話番号及び電話番号のそれぞれの関連情報を記録する。情報提供方法はプロセッサによって実行される。
【００３７】
最初に、ステップＳ９０１にて、着信呼メッセージは、ネットワークインタフェースを介して電気通信サーバから受信される。着信呼メッセージは、呼出し端末の第１の電話番号を有する。次に、ステップＳ９０３にて、電話番号データベースに基づいて、第１の電話番号が電話番号のうちの１つの電話番号として識別され、第１の電話番号に対応する関連情報が読取られる。
その後、ステップＳ９０５にて、第１の電話番号及び第１の電話番号に対応する関連情報を含む応答メッセージが生成される。最後に、ステップＳ９０７にて、応答メッセージは、ネットワークインタフェースを介して電気通信サーバに送信される。したがって、電気通信サーバは、応答メッセージに従って通知メッセージを生成し、被呼出し端末の第２の電話番号に従って通知メッセージを被呼出し端末に送信できる。ここで、通知メッセージは、同様に、第１の電話番号及び第１の電話番号に対応する関連情報を含む。
【００３８】
更に、別の実施形態において、ネットワークは、電気通信事業者のバックホールネットワーク及びセルラーネットワーク並びにインターネットを含んでもよい。
電話番号情報サーバのネットワークインタフェースは、バックホールネットワークを通して電気通信サーバに接続される。この場合、ステップＳ９０７は、以下のステップ、すなわち、ネットワークインタフェースを介してバックホールネットワークを通して電気通信サーバに応答メッセージを送信するステップであって、それにより、電気通信サーバが、セルラーネットワーク及びインターネットの一方を通して被呼出し端末に通知メッセージを送信するようにさせる、ステップを更に含む。
【００３９】
更に、別の実施形態において、ネットワークは、電気通信事業者のセルラーネットワークを含んでもよい。
ステップＳ９０７は、以下のステップ、すなわち、ネットワークインタフェースを介して電気通信サーバに応答メッセージを送信するステップであって、電気通信サーバが、第２の電話番号に従ってセルラーネットワークを通して被呼出し端末に通知メッセージを送信するショートメッセージサービス（ＳＭＳ）を使用するようにさせる、ステップを更に含む。
【００４０】
上記ステップに加えて、本実施形態の情報提供方法は、同様に、全てのオペレーションを実行し、また、第３の実施形態及び第４の実施形態で述べた全ての対応する機能を有することができる。
本実施形態がこれらのオペレーションを実行し、これらの機能を有する方法は、第３の実施形態及び第４の実施形態の開示に基づいて当業者が容易に認識できるので、本明細書で更に述べない。
【００４１】
先の説明によれば、本発明は、電話番号情報提供メカニズムを提供する。電話番号情報提供メカニズムは、電気通信事業者の電気通信サーバを介してサービスをトリガーする。本発明は、同様に、呼出し端末の電話番号の関連情報を電話番号情報サーバが被呼出し端末に提供できるように呼出し端末の電話番号を本発明の電話番号情報サーバに送信する。こうして、本発明の電話番号情報提供メカニズムは、モバイルフォンのモバイルオペレーションシステムによって制限されず、着信呼の電話番号の関連情報をリアルタイムに提供することが可能である。
【００４２】
以上の開示は、詳細な技術的内容及びその発明的特徴に関連する。当業者は、本発明の特徴から逸脱することなく、述べられた本発明の開示及び示唆に基づいて種々の修正及び置換を進められる。また、このような修正及び置換は、先の説明において完全に開示されないが、添付する特許請求の範囲において実質的に包含されている。
【図１】
2017050854.tif 000003
【図２】
2017050854.tif 000004
【図３】
2017050854.tif 000005
【図４】
2017050854.tif 000006
【図５】
2017050854.tif 000007
【図６】
2017050854.tif 000008
【図７】
2017050854.tif 000009
【図８】
2017050854.tif 000010
【図９】
2017050854.tif 000011